(57)【要約】      （修正有）【課題】被包装物の取り出しに煩わしさを与えにくくするとともに、外観面において好適な印象を与え得る包装体を提供する。【解決手段】包装体Ｈが、ベースと、ベースの上下縁からそれぞれ連続して延びた上下カバー２，３と、前記ベースの左右縁からそれぞれ連続して延びた左右カバー４，５とを備え、前記左カバーが、基端側から先端側に向かって漸次上下幅寸法が短くなる形状をなす左カバー本体部４１と、この左カバー本体部４１の先端から連続して延びてなりスリット状又は凹陥状の左係合部分４２ａを有した左先端部４２とを備えており、前記右カバーが、基端側から先端側に向かって漸次上下幅寸法が短くなる形状をなす右カバー本体部５１と、この右カバー本体部５１の先端から連続して延びてなりスリット状又は凹陥状の右係合部分５２ａを有した右先端部５２とを備えている。【選択図】図１
0003190118.tif 000002
【実用新案登録請求の範囲】
【請求項１】
シート状の被包装物を包装するための包装体であって、
矩形シート状をなし前記被包装物の後側に位置するベースと、このベースの上下縁からそれぞれ連続して延びてなり矩形シート状をなし前記被包装物の前側に位置し得る上下カバーと、前記ベースの左右縁からそれぞれ連続して延びてなりシート状をなし前記被包装物及び前記上下カバーの前側に位置し得る左右カバーとを備えてなり、
前記左カバーが、基端側から先端側に向かって漸次上下幅寸法が短くなる形状をなす左カバー本体部と、この左カバー本体部の先端から連続して延びてなりスリット状又は凹陥状の左係合部分を有した左先端部とを備えており、
前記右カバーが、基端側から先端側に向かって漸次上下幅寸法が短くなる形状をなす右カバー本体部と、この右カバー本体部の先端から連続して延びてなりスリット状又は凹陥状の右係合部分を有した右先端部とを備えており、
前記左係合部分と右係合部分とを係わり合わせることにより、前記左右カバー同士を連結し得ることを特徴とする包装体。
【請求項２】
前記左係合部分と右係合部分の何れか一方がスリット状をなしており、他方が凹陥状をなしている請求項１記載の包装体。
【考案の詳細な説明】
【技術分野】
【０００１】
本考案は、ハガキや案内状等のシート状の被包装物を包装するための包装体に関する。
【背景技術】
【０００２】
従来から、ハガキや案内状等のシート状の被包装物を包装するものとして、種々のものが知られている（例えば特許文献１参照）。
【０００３】
従来におけるこの種のものとしては、いわゆる封筒の構造をなすもの、つまり、被包装物を収容する袋状部分と当該袋状部分の開口部を糊付け等によって閉塞するための片状部分を有した構造をなすものがほとんどである。このため、従来の包装体は、被包装物であるハガキや案内状等を包装したり取り出したりする際に煩わしさを与えたり、外観面において看る者に対してありふれた印象を与えてしまったりするという一面があった。
【先行技術文献】
【特許文献】
【０００４】
【特許文献１】実用新案登録第３１０２２０７号公報
【考案の概要】
【考案が解決しようとする課題】
【０００５】
本考案は、このような課題に着目してなされたものであって、主たる目的は、被包装物の包装及び取り出しに煩わしさを与えにくくするとともに、外観面において好適な印象を提供し得る包装体を提供することにある。
【課題を解決するための手段】
【０００６】
すなわち、本考案の包装体は次の構成をなしている。
【０００７】
請求項１に記載の包装体は、シート状の被包装物を包装するための包装体であって、矩形シート状をなし前記被包装物の後側に位置するベースと、このベースの上下縁からそれぞれ連続して延びてなり矩形シート状をなし前記被包装物の前側に位置し得る上下カバーと、前記ベースの左右縁からそれぞれ連続して延びてなりシート状をなし前記被包装物及び前記上下カバーの前側に位置し得る左右カバーとを備えてなり、前記左カバーが、基端側から先端側に向かって漸次上下幅寸法が短くなる形状をなす左カバー本体部と、この左カバー本体部の先端から連続して延びてなりスリット状又は凹陥状の左係合部分を有した左先端部とを備えており、前記右カバーが、基端側から先端側に向かって漸次上下幅寸法が短くなる形状をなす右カバー本体部と、この右カバー本体部の先端から連続して延びてなりスリット状又は凹陥状の右係合部分を有した右先端部とを備えており、前記左係合部分と右係合部分とを係わり合わせることにより、前記左右カバー同士を連結し得るものである。
【０００８】
請求項２に記載の包装体は、請求項１に係る構成において、前記左係合部分と右係合部分の何れか一方がスリット状をなしており、他方が凹陥状をなしているものである。
【考案の効果】
【０００９】
以上説明したように本考案によれば、被包装物の包装及び取り出しに煩わしさを与えにくくするとともに、外観面において好適な印象を与え得る包装体を提供することができるものとなる。
【図面の簡単な説明】
【００１０】
【図１】本考案の一実施形態を示す包装体の正面図。
【図２】同実施形態を示す斜視図。
【図３】同実施形態の包装体の展開図。
【考案を実施するための形態】
【００１１】
以下、本考案の一実施形態を、図１〜３を参照して説明する。
【００１２】
この実施形態は、本考案を、結婚式等の催事において用いられる二つ折りシートである案内状Ｓ１、及び、シート体である返信用のハガキＳ２を包装するための包装体Ｈに適用したものである。この包装体Ｈは、従来の封筒に代替することも可能であるが、この実施形態では案内状Ｓ１、及び、ハガキＳ２を包装した後に、図示しない封筒に収容されて使用される。なお、以下の説明では、案内状Ｓ１及びハガキＳ２を総称して、「被包装物Ｓ」という。
【００１３】
包装体Ｈは、シート状の被包装物Ｓを包装するためのものである。
【００１４】
包装体Ｈは、一枚の紙製シート体により形成されている。包装体Ｈは、矩形シート状をなし包装されるべき被包装物Ｓの後側に位置するベース１と、このベース１の上下縁１１、１２からそれぞれ連続して延びてなり矩形シート状をなし前記被包装物Ｓの前側に位置し得る上下カバー２、３と、前記ベース１の左右縁１３、１４からそれぞれ連続して延びてなりシート状をなし前記被包装物Ｓ及び前記上下カバー２、３の前側に位置し得る左右カバー４、５とを備えている。
【００１５】
ベース１は、左右方向に長い長方形をなすものである。ベース１の上縁１１は、上カバー２との境界部分であり、折り曲げ線を構成する部分である。ベース１の下縁１２は、下カバー３との境界部分であり、折り曲げ線を構成する部分である。ベース１の左縁１３は、左カバー４との境界部分であり、折り曲げ線を構成する部分である。ベース１の右縁１４は、右カバー５との境界部分であり、折り曲げ線を構成する部分である。ベース１の外面側（背面側）には、意匠性を向上させるための図示しない印刷表示が施されている。
【００１６】
上カバー２は、左右方向に長い略長方形をなすものである。上カバー２は、ベース１の上縁１１から連続して延設されたものであり、包装されるべき被包装物Ｓの前側に位置し得るものである。換言すれば、上カバー２は、基端縁２１がベース１に接続している。
【００１７】
下カバー３は、左右方向に長い略長方形をなすものである。下カバー３は、ベース１の下縁１２から連続して延設されたものであり、包装されるべき被包装物Ｓの前側に位置し得るものである。換言すれば、下カバー３は、基端縁３１がベース１に接続している。
【００１８】
ここで、上下カバー２、３の上下幅寸法（すなわち基端縁２１、３１から先端縁２２、３２までの長さ）は、ベース１の上下幅寸法（すなわち上縁１１から下縁１２までの長さ）の２分の１の長さよりも長い寸法に設定されている。そして、上下カバー２、３の何れか一方の先端縁２２、３２が他方の前側に位置するようになっている。具体的には、上カバー２の先端縁２２が下カバー３の前側に位置する場合と、下カバー３の先端縁３２が上カバー２の前側に位置する場合とがあり、これらは使用者が自由に選択できるようになっている。前側に位置することになる上下カバー２、３の何れか一方の先端縁２２、３２は、左右カバー４、５に覆われて外部に露出しない位置に設定されている。
【００１９】
左カバー４は、全体として略三角形状をなしたものであり、意匠性を向上させるための印刷表示Ｐが表面側に施されている。左カバー４は、基端側から先端側に向かって漸次上下幅寸法が短くなる形状をなす左カバー本体部４１と、この左カバー本体部４１の先端から連続して延びてなりスリット状の左係合部分４２ａを有した左先端部４２とを備えている。左カバー本体部４１は、山型の形状をなしているもので、基端縁４１１がベース１に接続しており、先端縁４１２が左先端部４２と接続している。左先端部４２は、左カバー本体部４１と一体に構成されたものである。左先端部４２は、先端側の外周縁に開花状態の梅の花を模した凹凸形状を有している。そして、当該開花状態の梅の花を模した凹凸形状の縁に連続させて、基端側の下部に曲線をなすスリット状の左係合部分４２ａを備えている。左係合部分４２ａは、２つの山型の曲線を組み合わせたスリット状のものであり、左先端部４２における下の外縁部分から上下方向中間部分にわたって形成されている。
【００２０】
右カバー５は、全体として略三角形状をなしたものであり、意匠性を向上させるための印刷表示Ｐが表面側に施されている。右カバー５は、基端側から先端側に向かって漸次上下幅寸法が短くなる形状をなす右カバー本体部５１と、この右カバー本体部５１の先端から連続して延びてなり凹陥状の右係合部分５２ａを有した右先端部５２とを備えている。右カバー本体部５１は、山型の形状をなしているもので、基端縁５１１がベース１に接続しており、先端縁５１２が右先端部５２と接続している。右先端部５２は、右カバー本体部５１と一体に構成されたものである。右先端部５２は、先端側の外周縁につぼみの状態の梅の花を模した凹凸形状を有している。そして、当該つぼみの状態の梅の花を模した凹凸形状の一部として、上側の外縁に略Ｖ型の凹陥状をなした右係合部分５２ａを形成している。
【００２１】
左カバー本体部４１と右カバー本体部５１とは、左右対称形状をなしている。
【００２２】
しかして、左カバー４の左先端部４２におけるスリット状の左係合部分４２ａと、右カバー５の右先端部５２における凹陥状の右先端部分５２ａとを係わり合わせることにより、左カバー４と右カバー５とを相互に連結することができるようになっている。
【００２３】
以上に説明した通り、本実施形態に係る包装体Ｈは、左カバー４の左先端部４２におけるスリット状の左係合部分４２ａと、右カバー５の右先端部５２における凹陥状の右先端部分５２ａとをベース１や上下カバー２、３のたわみを利用して係わり合わせる作業を行うことにより、極めて簡単に左カバー４と右カバー５とを相互に連結することができるものとなる。また、包装体Ｈは、左先端部分４２ａを上方に移動させるとともに右先端部分５２ａを下方に移動させることにより、極めて簡単に係合状態を解除することができる。このため、包装体Ｈは、使用者に対して被包装物Ｓの包装及び取り出しに煩わしさを与えにくいものとなる。しかも、左係合部分４２ａはスリット状であり、右係合部分５２ａは凹陥状であるため、係合させる操作及び係合状態を解除する操作を使用者が行い易いものとなるだけでなく、両係合部分４２ａ、５２ａ同士の係合状態も離脱し難い好適なものとすることができる。
【００２４】
しかも、左カバー４の左カバー本体部４１が、基端側から先端側に向かって漸次上下幅寸法が短くなる形状をなしており、右カバー５の右カバー本体部５１が、基端側から先端側に向かって漸次上下幅寸法が短くなる形状をなしている。このため、左先端部４２と右先端部５２とが係わり合っている状態において、外観において従来の一般的な封筒の態様とは異なる外観を呈するものとなる。換言すれば、係合状態にある左右カバー４、５は、両者が協働して蝶ネクタイやリボンに近似した外観を呈するものとなる。したがって、本実施形態における包装体Ｈは、外観面において看者に好適な印象を与え得るものとなる。
【００２５】
また、被包装物Ｓを、梅のモチーフを採用しつつ上述した好適な外観を呈する包装体Ｈによって包装し、しかる後に、当該包装体Ｈを図示しない他の封筒内に封入させて使用できるように構成している。このため、被包装物Ｓの受取人は、包装体Ｈに接することによって、従来のものと比べてより丁寧な印象を感得し得るものとなる。
【００２６】
なお、本考案は、以上に詳述した実施形態に限られるものではない。
【００２７】
例えば、包装されるべき被包装物は、シート状のものであればどのようなものであってもよく、本実施形態に示されたものに限定されるものではない。
【００２８】
印刷表示は、任意のものが採用されてよいし、左右カバーやベース以外の部位、例えば、上下カバーに施されてもよいのはもちろんのことである。
【００２９】
左先端部、右先端部の形状は、本実施形態に示されるものに限定されるものではなく種々の形状を採用することができる。
【００３０】
左係合部分や右係合部分は、凹陥状又はスリット状のいずれのものと適用しても構わない。例えば、左右係合部分を両方ともスリット状のものとして、これらを係合させるようにしてもよいし、両方とも凹陥状のものとして、これらを係合させるようにしてもよい。しかしながら、本実施形態に示すように、一方をスリット状の係合部分とし、他方を凹陥状の係合部分とすれば、必要な係わり合いの強さを得られるとともに、係わり合わせる操作及び係わり合った状態を解除する操作が行い易いものとなる。
【００３１】
その他、各部の具体的構成についても上記実施形態に限られるものではなく、本考案の趣旨を逸脱しない範囲で種々変形が可能である。
【符号の説明】
【００３２】
Ｈ…包装体
Ｓ…被包装物
１…ベース
２…上カバー
３…下カバー
４…左カバー
５…右カバー
４１…左カバー本体部
４２…左先端部
４２ａ…左係合部分
５１…右カバー本体部
５２…右先端部
５２ａ…右係合部分
【図１】
0003190118.tif 000003
【図２】
0003190118.tif 000004
【図３】
0003190118.tif 000005